(57)【要約】      （修正有）【課題】蓋体を容易に取り外すことを可能とした簡易構造のインナーコンセントボックス用蓋体を提供する。【解決手段】フロアパネルに埋め込み取り付けられるインナーコンセントボックスであり、取付枠体２はインナーコンセントボックス１の上部枠内方に設けられた段差部３にビスによって取り付けられる。取付け枠体２の周縁部には垂直上方に伸びる周縁壁部２ａが設けられ、インナーコンセントボックス用蓋体が取付け枠体２の周縁壁部２ａの内方のフランジ部２ｂに載置される。蓋体は小蓋体５−１と大蓋体５−２とからなり、小蓋体５−１の中央部には雌ねじ部６が小蓋体の垂直方向に設けられている。雌ねじ部６は、貫通雌ねじ部とすることが好ましい。雌ねじ部６には小蓋体を取り外すための雄ネジ７が取り外し可能に螺合とされている。【選択図】図３
0003200997.tif 000002
【実用新案登録請求の範囲】
【請求項１】
フロアパネルに開口して配置されコンセントを収容するインナーコンセントボックスの開口部を覆うためのインナーコンセントボックス用蓋体であって、
該蓋体はインナーコンセントボックスの開口部の内方内側フランジ部上に載置され、該蓋体の厚さは、内方内側フランジ部上に載置された状態で、フロアパネル表面と同一となる高さとされ、
該蓋体中央部に設けられ蓋体に対して垂直方向に延びる雌ネジ穴部が設けられ、蓋を取り外す際には雄ネジを雌ネジ部に螺合させて蓋体を上方に引き上げることによって、インナーコンセントボックスの開口部から蓋体を取り外すことができることを特徴とする、インナーコンセントボックス用蓋体。
【請求項２】
フロアパネルに開口して配置されコンセントを収容するインナーコンセントボックスの開口部を覆うためのインナーコンセントボックス用蓋体であって、
該インナーコンセントボックス用蓋体は蓋体周縁部に垂直方向下方に延びる周縁壁部を有し、
該蓋体は該周縁壁部を介してインナーコンセントボックスの開口部の内方内側フランジ部上に載置され、該周縁壁部の高さは、内方内側フランジ部上に載置された状態で、フロアパネル表面と蓋体上面とが同一の高さとされ、
該蓋体中央部に設けられ蓋体に対して垂直方向に延びる雌ネジ穴部が設けられ、蓋を取り外す際には雄ネジを雌ネジ部に螺合させて蓋体を上方に引き上げることによって、インナーコンセントボックスの開口部から蓋体を取り外すことができることを特徴とする、インナーコンセントボックス用蓋体。
【請求項３】
フロアパネルに開口して配置されコンセントを収容するインナーコンセントボックスの開口部を覆うためのインナーコンセントボックス用蓋体であって、
該インナーコンセントボックス用蓋体は小蓋体部と大蓋体部に2分割され、小蓋体部と大蓋体部は取付け枠体を介してインナーコンセントボックスに取付けられ、
該小蓋体及び該大蓋体部の周縁部はそれぞれ垂直方向上方に延びフロアパネルの上に敷かれるトップ床材の厚さ未満の高さとされた周縁壁部を有し、該小蓋体及び該大蓋体部の周縁壁部の内側にはそれぞれトップ床材ブロックが載置可能とされ、
該小蓋体中央部に設けられ小蓋体に対して縦方向に延びる雌ネジ穴部が設けられ、蓋を取り外す際には雄ネジを雌ネジ部に螺合させて蓋体を上方に引き上げることによって、インナーコンセントボックスの開口部から蓋体を取り外すことができることを特徴とする、インナーコンセントボックス用蓋体。
【請求項４】
前記蓋体は取付け枠体該周縁壁部を介してインナーコンセントボックスの開口部の内方内側フランジ部上に載置されるようになっており、
該取付け枠体は周縁部に垂直上方に伸びる周縁壁部及び周縁壁部内方のフランジ部を有し、インナーコンセントボックスの開口部の内方内側フランジ部上に取り付けられ、前記インナーコンセントボックス用蓋体は取付け枠体の周縁壁部内方のフランジ部を介してインナーコンセントボックスの開口部の内方内側フランジ部上に載置されるようになっており、
該取付け枠体を介して内方内側フランジ部上に載置された状態で、フロアパネル表面と蓋体上面とが同一の高さとされ、該蓋体の周縁壁部の高さ及び該取付け枠体の周縁壁部の高さは、前記トップ床材の厚さ未満とされる、請求項３に記載のインナーコンセントボックス用蓋体。
【請求項５】
フロアパネルに開口して配置されコンセントを収容するインナーコンセントボックスの開口部を覆うためのインナーコンセントボックス用蓋体アセンブリーであって、該インナーコンセントボックス用蓋体アセンブリーは、請求項４記載のインナーコンセントボックス用蓋体と、請求項４記載の取付け枠体とからなる、インナーコンセントボックス用蓋体アセンブリー。
【考案の詳細な説明】
【技術分野】
【０００１】
本考案は、床パネルの開口部に取付けたインナーコンセントボックスの開口部に着脱自在に取付けられるインナーコンセントボックス用蓋体に関するものである。
【背景技術】
【０００２】
ビル等の建物のオフィース・ルーム等においては、床下に配線スペースを確保するため基礎床面から一定の高さ上方にＯＡ用パネル床材を敷設し、基礎床面とＯＡ用パネル床材との間の空間に電線、電話線、ガス管等の配線が収納され、ＯＡ用パネル床材の特定個所を開口し、その開口部にインナーコンセントボックスを取り付け、インナーボックスに電線、電話線、ガス管等の配線のコンセントを設けている。ＯＡ用パネル床材に直接あるいはカーペット等を介してＯＡ機器を配置し、ＯＡ機器等のプラグをインナーボックスの配線コンセントに接続するようになっている。インナーコンセントボックスの開口部にはインナーボックスの配線コンセントにＯＡ機器等のプラグを接続可能とする蓋体が設けられ、接続時には蓋体を取り外しあるいは開口して配線コンセントにＯＡ機器等のプラグを接続する。
【０００３】
従来、種々のインナーコンセントボックス用蓋体の開閉構造が開示されている。例えば、フロア孔口にビス等で蓋を四隅で固定し、蓋を外す際にはビスを取り外し、また蓋をするにはフロア孔口に四隅をビス等で固定することによって行っている。特許文献１参照。
また、床パネル本体に接続器等の取り付け開口としてコ字状の切欠を形成し、この切欠の周囲に凹断部を設け、切欠カバープレートの周縁部を凹断部に着脱自在に載置する床パネルが開示されている。特許文献２。
【０００４】
しかしながら、特許文献１では、蓋を固定するには蓋の四隅をビス等で孔口部に固定し、必要な時に4隅のビスを外して蓋を外す開閉構造なので、位置決めを正確に行わないとビスが入りにくく、また四隅固定なので開閉が煩雑となる。
【０００５】
特許文献２はＯＡ機器等を床下のコンセントから接続・取り外す作業は容易であるが、特殊な構造であるので床パネル本体を形成するのは必ずしも簡単ではない。
【先行技術文献】
【特許文献】
【０００６】
【特許文献１】特開平５−１７１７８４号公報
【特許文献２】特開平１０−２４３５３５号公報
【考案の概要】
【考案が解決しようとする課題】
【０００７】
本考案は、インナーコンセントボックスの開口部に設けた蓋体の雌ネジ部に雄ネジを螺合させることによって蓋体を容易に取り外すことを可能とした簡易構造のインナーコンセントボックス用蓋体を提供することを目的とする。
【課題を解決するための手段】
【０００８】
（請求項１）
本考案は、フロアパネルに開口して配置されコンセントを収容するインナーコンセントボックスの開口部を覆うためのインナーコンセントボックス用蓋体であって、
該蓋体はインナーコンセントボックスの開口部の内方内側フランジ部上に載置され、該蓋体の厚さは、内方内側フランジ部上に載置された状態で、フロアパネル表面と同一となる高さとされ、
該蓋体中央部に設けられ蓋体に対して垂直方向に延びる雌ネジ穴部が設けられ、蓋を取り外す際には雄ネジを雌ネジ部に螺合させて蓋体を上方に引き上げることによって、インナーコンセントボックスの開口部から蓋体を取り外すことができることを特徴とする、インナーコンセントボックス用蓋体を提供する。
(請求項１は、図6、図7の第3実施態様に該当し、周縁壁部がない広い態様。周縁壁部がある態様は請求項２。)
【０００９】
（請求項２）
また、本考案は、フロアパネルに開口して配置されコンセントを収容するインナーコンセントボックスの開口部を覆うためのインナーコンセントボックス用蓋体であって、
該インナーコンセントボックス用蓋体は蓋体周縁部に垂直方向下方に延びる周縁壁部を有し、
該蓋体は該周縁壁部を介してインナーコンセントボックスの開口部の内方内側フランジ部上に載置され、該周縁壁部の高さは、内方内側フランジ部上に載置された状態で、フロアパネル表面と蓋体上面とが同一の高さとされ、
該蓋体中央部に設けられ蓋体に対して垂直方向に延びる雌ネジ穴部が設けられ、蓋を取り外す際には雄ネジを雌ネジ部に螺合させて蓋体を上方に引き上げることによって、インナーコンセントボックスの開口部から蓋体を取り外すことができることを特徴とする、インナーコンセントボックス用蓋体を提供するものである。
（請求項２は、図6、図7の第３実施態様に該当し、周縁壁部がある態様。)
【００１０】
（請求項３）
さらに、本考案は、フロアパネルに開口して配置されコンセントを収容するインナーコンセントボックスの開口部を覆うためのインナーコンセントボックス用蓋体であって、
該インナーコンセントボックス用蓋体は小蓋体部と大蓋体部に2分割され、小蓋体部と大蓋体部は取付け枠体を介してインナーコンセントボックスに取付けられ、
該小蓋体及び該大蓋体部の周縁部はそれぞれ垂直方向上方に延びフロアパネルの上に敷かれるトップ床材の厚さ未満の高さとされた周縁壁部を有し、該小蓋体及び該大蓋体部の周縁壁部の内側にはそれぞれトップ床材ブロックが載置可能とされ、
該小蓋体中央部に設けられ小蓋体に対して縦方向に延びる雌ネジ穴部が設けられ、蓋を取り外す際には雄ネジを雌ネジ部に螺合させて蓋体を上方に引き上げることによって、インナーコンセントボックスの開口部から蓋体を取り外すことができることを特徴とする、インナーコンセントボックス用蓋体を提供するものである。
（請求項３は、図１〜図４の第１．２実施態様に該当し、周縁壁部がある態様。)
【００１１】
（請求項４）（請求項４は、取付け枠体を加えた態様。）
さらに、本考案は、前記蓋体は取付け枠体該周縁壁部を介してインナーコンセントボックスの開口部の内方内側フランジ部上に載置されるようになっており、
該取付け枠体は周縁部に垂直上方に伸びる周縁壁部及び周縁壁部内方のフランジ部を有し、インナーコンセントボックスの開口部の内方内側フランジ部上に取り付けられ、前記インナーコンセントボックス用蓋体は取付け枠体の周縁壁部内方のフランジ部を介してインナーコンセントボックスの開口部の内方内側フランジ部上に載置されるようになっており、
該取付け枠体を介して内方内側フランジ部上に載置された状態で、フロアパネル表面と蓋体上面とが同一の高さとされ、該蓋体の周縁壁部の高さ及び該取付け枠体の周縁壁部の高さは、前記トップ床材の厚さ未満とされる、請求項３に記載のインナーコンセントボックス用蓋体を提供するものである。
【００１２】
（請求項５）（請求項５は、インナーコンセントボックス用蓋体アセンブリーを請求。）
さらに、本考案は、フロアパネルに開口して配置されコンセントを収容するインナーコンセントボックスの開口部を覆うためのインナーコンセントボックス用蓋体アセンブリーであって、該インナーコンセントボックス用蓋体アセンブリーは、請求項４記載のインナーコンセントボックス用蓋体と、請求項４記載の取付け枠体とからなる、インナーコンセントボックス用蓋体アセンブリーを提供するものである。
【考案の効果】
【００１３】
トップ床材に雄ネジを蓋体の雌ネジ部に螺合させて蓋体を上方に引き上げるための穴部を設けるだけで蓋体を引き上げることができる。蓋体上のトップ床材の穴部は外観上目立たず、トップ床材は優れた美的外観を維持することが可能となる。
インナーコンセントボックスの開口部に蓋体を取付けた状態では、雄ネジは取り外しておくのでフロアパネル及びトップ床材はフラットに保たれ、段差がないので椅子やワゴン等のキャスター移動がスムーズにできる。
インナーコンセントボックス用蓋体を取り外す場合には、トップ床材を剥がして雄ネジを雌ネジに螺合させて蓋を上方に引き上げることによって、インナーコンセントボックスの開口部から蓋体を容易に取り外すことができる。
また、インナーコンセントボックス用蓋体を2分割した小蓋体部と大蓋体部とから形成し雌ネジ部を小蓋部に形成した場合には、雄ネジを雌ネジに螺合させて蓋を上方に引き上げることによって、インナーコンセントボックスの開口部から小蓋体を取り外し、次に大蓋体を手で取り外すことができるので、インナーコンセントボックス用蓋体をインナーコンセントボックスの開口部から容易に取り外すことができる。
【図面の簡単な説明】
【００１４】
【図１】本考案に係るインナーコンセントボックス用蓋体の第１の実施態様を示す分解図である。
【図２】本考案に係るインナーコンセントボックス用蓋体の第１の実施態様の平面図である。
【図３】（Ａ）は本考案に係るインナーコンセントボックス用蓋体の第１の実施態様の横断面の分解図であり、（Ｂ）は蓋体をインナーコンセントボックスに取付けた状態の第１の実施態様の断面図である。
【図４】インナーコンセントボックスに取付けた状態の本考案に係るインナーコンセントボックス用蓋体の第３の実施態様の平面図である。
【図５】本考案に係るインナーコンセントボックス用蓋体の第３の実施態様の平面図である。
【図６】（Ａ）は本考案に係るインナーコンセントボックス用蓋体の第３の実施態様の横断面の分解図であり、（Ｂ）は第２の実施態様の断面図である。
【図７】本考案に係るインナーコンセントボックス用蓋体の第４の実施態様の平面図である。
【考案を実施するための形態】
【００１５】
以下に、図面を参照して、本考案に係るインナーコンセントボックス用蓋体を詳細に説明する。図面に図示する蓋体は本考案に係るインナーコンセントボックス用蓋体の例であり、本考案はこれらのものに限定されるものではない。また、図中、同一あるいは類似の部品は同一あるいは類似の参照番号を付す。
【００１６】
図１は、本考案に係るインナーコンセントボックス用蓋体の第１の実施態様の分解図、図２はその平面図、図３（Ａ）と（Ｂ）とはその横断面の分解図及び取付けた後の断面図である。
１はフロアパネルに埋め込み取り付けられるインナーコンセントボックスであり、取付け枠体２はインナーコンセントボックス１の上部枠内方に設けられた段差部３にビス４によって取り付けられる。取付け枠体２の周縁部には垂直上方に伸びる周縁壁部２ａが設けられ、インナーコンセントボックス用蓋体５が取付け枠体２の周縁壁部２ａの内方のフランジ部２ｂに載置される。
【００１７】
本実施態様では蓋体５は小蓋体５−１と大蓋体５−２とからなり、小蓋体５−１の中央部には雌ねじ部６が小蓋体の垂直方向に設けられている。雌ねじ部６は、貫通雌ねじ部とすることが好ましい。雌ねじ部６には小蓋体を取り外すための雄ネジ７が取り外し可能に螺合とされている。
小蓋体５−１と大蓋体５−２のそれぞれの周縁部には垂直方向上方に延びフロアパネルの上に敷かれるトップ床材の厚さ未満の高さの周縁壁部５−１ａ、５−２ａが設けられ、取付けた状態で小蓋体５−１と大蓋体５−２の内側底面はフロアパネルの上面と同一の高さとされる。
【００１８】
なお、取付けた状態で、取付け枠体２の周縁壁部２ａは小蓋体５−１及び大蓋体部５−２の周縁壁部５−１ａ、５−２ａの高さとほぼ同一高さまで延び、小蓋体５−１及び大蓋体部５−２の周縁壁部５−１ａ、５−２ａの内側にはそれぞれトップ床材ブロックＴ１、Ｔ２が載置され、これらのトップ床材ブロックＴ１、Ｔ２は周囲のトップ床材Ｔ３と同一面とされる。また、小蓋体５−１の周縁壁部５−１ａの内側に載置されるトップ床材ブロックには雌ねじ部６に連通する貫通口８が設けられ、貫通口８を通して雄ネジ７を雌ねじ部６に螺合するようになっている。貫通口８を介して雌ねじ部６に雄ネジ７を螺合した状態で取付け枠体２のフランジ部２ｂに載置した蓋体５の小蓋体５−１及びトップ床材ブロックＴ１を引き上げ、次に大蓋体５−２及びトップ床材ブロックＴ２を手で取り外すことによって蓋体５をインナーコンセントボックス１の開口から取り外せるようになっている。
【００１９】
図４は、２つの開口部を有する幅広のインナーコンセントボックスが、対応する２つの開口を有する取付け枠体１２を介して第２の実施態様に係る幅広のインナーコンセントボックス用蓋体１５によって被覆される状態を示す。本実施態様では、幅広の蓋体１５は幅広の小枠体１５−１と幅広の大枠体１５−２とから形成され、小枠体１５−１と大枠体１５−２とは取付け枠体１２の周縁壁部１２ａの内方に配置される。１５−１ａと１５−２ａはそれぞれ小枠体１５−１と大枠体１５−２の周縁部に垂直上方に延びる周縁壁部であり、取付け枠体１２の周縁壁部１２ａの内方に配置される。配置した状態で周縁壁部１５−１ａと１５−２ａは取付け枠体１２の周縁壁部１２ａとほぼ同一の高さで床材ブロックの厚さ未満とされている。第２の実施態様の断面構造は図３（Ａ）と図３（Ｂ）と同様であるので図示及び説明は省略する。
【００２０】
図５はインナーコンセントボックス上に本考案に係る第３の実施態様である一体構造のインナーコンセントボックス用蓋体２５を配置した平面図であり、図６（Ａ）は蓋体２５の断面分解図、図６（Ｂ）はをインナーコンセントボックス２１に取付けた状態を示す断面図である。蓋体２５には中央部に垂直方向に延びる雌ネジ部２６が形成され、蓋体２５の周縁部から垂直下方に延びる周縁壁部２５ａが設けられている。周縁壁部２５ａは、インナーコンセントボックス２１の内周部に設けた段差２３に載置されて、蓋体２５の上面とＯＡフロアの上面が同一の高さとなるようにされている。インナーコンセントボックス２１及び蓋体２５の上には、トップ床材ブロックＴが配置される。２８はトップ床材ブロックＴに設けた貫通口で、蓋体２５の雌ネジ部２６に連通する。
【００２１】
インナーコンセントボックス２１に蓋体２５を取り付けＯＡフロア及び蓋体２５上にトップフロアー床材Ｔを敷設した状態から、蓋体２５をインナーコンセントボックス２１から取り外す場合には、トップフロアー床材Ｔを剥がして蓋体２５を露出させ雄ネジ７を雌ネジ部２６に螺合させた後、雄ネジ７で蓋体２５を引き上げることによって蓋体２５をインナーコンセントボックス２１から取り外す。
【００２２】
図７は、第３の実施態様の変形例である本考案に係る第４の実施態様の幅広一体型のインナーコンセントボックス用蓋体３５を示す。蓋体３５は２つの開口を有するインナーコンセントボックス３１の開口を覆うために用いられる。蓋体３５の中央部には雌ネジ部３６が設けられており、蓋体３５の周縁部には垂直下方に延びる周縁壁部３５ａが設けられている。その他の部分については図５及び図６に示す第３の実施態様と同様であるので、詳細な説明は省く。
【産業上の利用可能性】
【００２３】
本考案に係るインナーコンセントボックス用蓋体は、取り外しの為に雌ネジ部を蓋体に設けるという簡単な構造で、雄ネジを利用して簡単にインナーコンセントボックスから取り外すことが出来、トップ床材ブロックあるいはトップ床材に雌ネジ部に対応する貫通口をもうける構成となるので、外見上目立たず美観を損なうことがないので、当該技術分野での需要は大きいと思われる。  
【符号の説明】
【００２４】
１、１１、２１、３１・・・インナーコンセントボックス、  
２、１２・・・取付け枠体、２ｂ・・・フランジ部、
３，２３・・・段差部、４・・・ビス、
５、１５，２５，３５・・・インナーコンセントボックス用蓋体、
５−１、１５−１・・・小蓋体、５−１ａ、１５−１ａ・・・周縁壁部、
５−２、１５−２・・・大蓋体、５−２ａ、１５−２ａ・・・周縁壁部、
６、１６、２６、３６・・・雌ネジ部、７・・・雄ネジ、
８、２８・・・貫通口、Ｔ、Ｔ１、Ｔ２、Ｔ３・・・トップ床材、トップ床材ブロック
２ａ，１２ａ、２５ａ、３５ａ・・・周縁壁部
【図１】
0003200997.tif 000003
【図２】
0003200997.tif 000004
【図３】
0003200997.tif 000005
【図４】
0003200997.tif 000006
【図５】
0003200997.tif 000007
【図６】
0003200997.tif 000008
【図７】
0003200997.tif 000009